【手続補正書】
【提出日】平成15年6月24日(2003.6.24)
【手続補正１】
【補正対象書類名】明細書
【補正対象項目名】全文
【補正方法】変更
【補正の内容】
【発明の名称】紙葉類処理装置
【特許請求の範囲】
【請求項１】紙葉類を集積する集積機構を備えた紙葉類処理装置であって、
上記集積機構の内部空間に搬送された紙葉類を該紙葉類の搬送方向の長さに応じて反搬送方向に付勢する付勢手段と、
上記集積機構の内部空間に集積する紙葉類の後端を集積方向に叩き落とす集積補助手段とを備えた
紙葉類処理装置。
【請求項２】上記付勢手段は内部空間内において紙葉類の搬送前後方向に変位する変位手段を備えた
請求項１記載の紙葉類処理装置。
【請求項３】上記内部空間へ突入する紙葉類の前端に対向して上記集積部の内奥には左右対称に複数の付勢手段が設けられた
請求項１または２記載の紙葉類処理装置。
【請求項４】上記集積補助手段はローラに複数の羽根を供えた羽根車で構成された
請求項１記載の紙葉類処理装置。
【請求項５】上記集積機構は同軸上に設けられた複数の集積ローラと、該集積ローラに平行に設けられた複数の羽根車とを備えた
請求項１記載の紙葉類処理装置。
【請求項６】上記付勢手段の後退により形成される集積空間の奥行き寸法が紙葉類の搬送方向の最大寸法以上に設定され、
内部空間の内方に付勢された付勢手段と集積補助手段との間の間隔が集積可能な紙葉類の搬送方向の最小寸法より小さい寸法に設定された
請求項１記載の紙葉類処理装置。
【発明の詳細な説明】
【０００１】
【発明の属する技術分野】
この発明は、国内紙幣、海外紙幣、小切手、伝票等の紙葉類を集積する集積機構を備えたような紙葉類処理装置に関する。
【０００２】
【従来の技術】
従来、上述例の紙葉類処理装置としては、例えば、図１０に示す如き構成の装置がある。
すなわち、内部空間９１を有する有底箱形の集積部９２を設け、この集積部９２の上部一側に内部空間９１と連通するように入口部９３を開口形成し、この入口部９３の直前には集積ローラ９４と羽根車９５とを上下に配設して集積機能を構成する一方、これら各要素９４，９５の搬送上流側としての前位部には対設ローラ９６，９７を上下に配設したものである。
【０００３】
ここで、上述の羽根車９５はローラ９５ａと、該ローラ９５ａの外周部から径方向外方へ延びる複数の羽根９５ｂとを有するものである。
この従来の紙葉類処理装置によれば、集積部９２の内部空間９１の奥行き寸法Ｌｂは紙葉類９８の搬送方向の長さＬａに所定寸法ｎを加算した値つまりＬｂ＝Ｌａ＋ｎに設定され、集積ローラ９４と羽根車９５との間から入口部９３を介して内部空間９１へ突入させた紙葉類９８の前端を集積部９２の縦壁９２ａに一旦衝突させ、この紙葉類９８の後端を羽根車９５の羽根９５ｂで下方に叩き落とし、当該紙葉類９８を集積方向へ落下させると共に、後続の紙葉類の突入空間を確保して、連続集積を可能とすることができる。
【０００４】
【発明が解決しようとする課題】
しかし、このような従来装置においては、集積部内部空間９１の奥行き寸法Ｌｂに対して紙葉類９８の長さＬａが過小な場合には、羽根車９５の羽根９５ｂで紙葉類９８の後端を叩き落とすことが不可能となり、当該紙葉類と後続紙葉類とが衝突する問題点があった。
逆に、集積部内部空間９１の奥行き寸法Ｌｂに対して紙葉類９８の長さＬａが過大な場合には、この紙葉類が座屈する問題点があった。
【０００５】
したがって、上記従来装置においては、奥行き寸法Ｌｂに対して取扱うべき紙葉類の長さＬａが大幅に規制される問題点があり、特に額面により長さＬａに大差がある外国紙幣の集積時には、このような問題点が顕著となる。
この発明は、形態（特に搬送方向の長さ）の異なる紙葉類を同一の内部空間に連続して集積することができる紙葉類処理装置の提供を目的とする。
【０００６】
【課題を解決するための手段】
この発明による紙葉類処理装置は、紙葉類を集積する集積機構を備えた紙葉類処理装置であって、前記集積機構の内部空間に搬送された紙葉類を該紙葉類の搬送方向の長さに応じて反搬送方向に付勢する付勢手段と、前記集積機構の内部空間に集積する紙葉類の後端を集積方向に叩き落とす集積補助手段とを備えたものである。
【０００７】
紙葉類とは国内紙幣、海外紙幣、小切手、伝票等の少なくとも一つである。  上記構成により、付勢手段は集積機構の内部空間に搬送された紙葉類を該紙葉類の搬送方向の長さに応じて反搬送方向に付勢し、上記集積補助手段は上記集積機構の内部空間集積部に集積する紙葉類の後端を集積方向に叩き落として、後続の紙葉類の突入空間を確保する。
このように、上記付勢手段にて紙葉類をその紙葉類の搬送方向の長さに対応して反搬送方向に付勢するので、形態（搬送方向の長さ）の異なる紙葉類を同一の内部空間に連続して集積することができる。
【０００８】
この発明の一実施態様においては、上記付勢手段は内部空間内において紙葉類の搬送前後方向に変位する変位手段を備えたものである。
上記構成により、搬送方向の長さが大きい紙葉類が内部空間へ突入されると変位手段は紙葉類前端で押圧されて後退して集積空間を確保し、搬送方向の長さが小さい紙葉類が内部空間へ突入されると当該紙葉類を反搬方向側へ付勢して、集積補助手段による叩き落とし作用を確保する。
この結果、上記変位手段の変位により形態の異なる紙葉類を内部空間に連続して良好に集積することができる。
【０００９】
この発明の一実施態様においては、上記内部空間へ突入する紙葉類の前端に対向して上記集積部の内奥には左右対称に複数の付勢手段が設けられたものである。
上記構成により、内部空間へ突入した紙葉類がスキュー（斜行）している場合、このスキューした紙葉類の先行側が複数の付勢手段のうちの１つの付勢手段を後退させ、当該紙葉類の後位側が内部空間に突入完了した時点において後退していた付勢手段の復元力（付勢力）にてスキューした紙葉類の姿勢を矯正することができるので、紙葉類が左右何れの方向にスキューしても、これを矯正して安定した集積作用を得ることができ、集積信頼性を確保することができる。
【００１０】
この発明の一実施態様においては、上記集積補助手段はローラに複数の羽根を供えた羽根車で構成されたものである。
上記構成により、簡単かつ軽量な集積補助手段でありながら、紙葉類の後端を確実に叩き落とすことができる。
【００１１】
この発明の一実施態様においては、上記集積機構は同軸上に設けられた複数の集積ローラと、該集積ローラに平行に設けられた複数の羽根車とを備えたものである。
上記構成により集積機構から内部空間へ突入れる紙葉類の突入姿勢の安定化を図ると共に、複数の羽根車により紙葉類後端の安定した叩き落とし効果を確保することができる。
【００１２】
この発明の一実施態様においては、上記付勢手段の後退により形成される集積空間の奥行き寸法が紙葉類の搬送方向の最大寸法以上に設定され、内部空間の内方に付勢された付勢手段と集積補助手段との間の間隔が集積可能な紙葉類の搬送方向の最小寸法より小さい寸法に設定されたものである。
【００１３】
上記構成により、最大寸法の紙葉類が内部空間に突入されると、付勢手段の後退により当該紙葉類に対する充分な集積空間が確保されて、その座屈を防止することができ、最小寸法の紙葉類が内部空間に突入されると、付勢手段は内部空間の内方へ変位して、当該紙葉類を集積機構へ付勢して、集積補助手段による該紙葉類後端の充分な叩き落とし作用を確保することができる。
【００１４】
【実施例】
この発明の一実施例を以下図面に基づいて詳述する。
図面は、紙葉類処理装置を示し、図１〜図３において、内部空間１１を有する有底箱形の集積部１２を示している。
【００１５】
この集積部１２は底壁部１２ａ、左右の側壁部１２ｂ，１２ｃ、前後の側壁部１２ｄ，１２ｅ、上壁部１２ｆを有し、この集積部１２の上部手前側には内部空間１１と連通するように入口部１３が開口形成されている。
【００１６】
上述の入口部１３の直前部位には紙葉類Ａを集積する集積機構１４が設けられている。
すなわち、この集積機構１４は上下に互に平行に横架されたローラ軸１５，１６と、上側のローラ軸１５に嵌合された複数たとえば２つの集積ローラ１７，１７と、これら各集積ローラ１７，１７に固着されたゴム部材等の滑り止めリング１８，１８と、下側のローラ軸１６において滑り止めリング１８を介して上記集積ローラ１７に転接するように嵌合された複数のロアローラ１９，１９（図３参照）と、下側のローラ軸１６において上記集積ローラ１７に離反し、かつ平行になるようにこれら各集積ローラ１７の左右両サイド部に対応して嵌合された集積補助手段としての複数たとえば２つの羽根車２０，２０とを備えている。
【００１７】
ここで、上述の羽根車２０はローラ２０ａと、このローラ２０ａの外周部から径方向外方へ延びる複数たとえば４枚の羽根２０ｂとを有するものであり、この羽２０ｂにより集積部１２に集積されるべき紙葉類Ａの後端ｂを集積方向に叩き落とすように構成している。なお、上記羽根２０ｂの枚数は４枚に限定されるものではなく３枚でも５枚であってもよい。
【００１８】
また上述の集積機構１４の搬送上流側としての前位部には対設ローラ２１，２２を上下に配設し、各要素の図２の矢印方向への駆動により、該対設ローラ２１，２２間、集積機構１４、入口部１３を介して紙葉類Ａを集積部１２の内部空間１１へ突入搬送すべく構成している。
【００１９】
ところで、図１、図２に示すように内部空間１１へ突入する紙葉類Ａの前端ａに対向して上記集積部１２の内奥には複数の付勢機構２３，２３が独立して設けられている。
この実施例では２つの付勢機構２３，２３を互に離反させ、かつ左右対称に構成している。
【００２０】
すなわち、上記付勢機構２３は集積部１２の側壁部１２ｅ上方に設けたヒンジ等の支点部材２４と、この支点部材２４に取付けられ揺動可能に構成されたレバー２５と、このレバー２５を常時内部空間１１の内方、換言すれば羽根車２０方向へばね付勢するスプリング２６とを備えている。
【００２１】
このスプリング２６は側壁部１２ｅの背面に取付けられた略Ｚ字状のリテーナ２７にその一端が係止され、他端はレバー２５側に係止されている。また上記側壁部１２ｅには必要に応じて開口２８，２９が形成されている。
【００２２】
この付勢機構２３は集積部１２の内部空間１１に突入された紙葉類Ａのサイズ、特にその搬送方向の長さに応じて、該紙葉類Ａを集積機構１４側なかんずく羽根車２０側へ付勢する付勢手段であって、ガイド部材としての上述のレバー２５は内部空間１１内において紙葉類Ａの搬送方向の前後方向（搬送前後方向で、図１の矢印ｃ方向）に変位すべく構成している。
【００２３】
つまり、図１に仮想線で示すようにスプリング２６の付勢力に抗して後退する方向と、スプリング２６の付勢力により同図に実線で示すように内部空間１１の内方へ前進する方向とに変位するものである。
【００２４】
図１に仮想線で示すようにレバー２５が後退した時、このレバー２５の後退により形成される集積空間の奥行き寸法（Ｌｍａｘ）は紙葉類Ａの搬送方向の最大寸法ＬＬ（図２、図４参照）以上に設定され、図１に実線で示すように内部空間１１の内方に付勢されたレバー２５と羽根車２０の羽根２０ｂ先端との間の間隔（Ｌｍｉｎ）は集積可能な紙葉類Ａの搬送方向の最小寸法ＬＳ（図２、図５参照）よりも小さい寸法に設定されている。
【００２５】
要するに、Ｌａｍｘ＞ＬＬ，Ｌａｍｉｎ＜ＬＳの２つの関係式が成立するように上記寸法および間隔が設定されたものである。
このように構成した紙葉類処理装置の作用を以下に詳述する。
【００２６】
図４に示すように最大寸法ＬＬの紙葉類Ａが内部空間１１内に突入すると、左右一対の付勢機構２３における２つのレバー２５は共に該紙葉類Ａの前端ａで押圧され、スプリング２６のばね力に抗して支点部材２４を支点として図１の実線状態から図４に示す如く後退する。
【００２７】
これにより、Ｌｍａｘ＞ＬＬの集積空間が確保されると共に、この紙葉類Ａの後端ｂは羽根車２０の羽根２０ｂにより集積方向に叩き落とされるので、後続の紙葉類の突入空間が確保され、上記最大寸法ＬＬの紙葉類Ａは集積方向に落下する。
【００２８】
ところで、付勢機構２３のレバー２５に対して紙葉類Ａの突入力が作用しないノーマル時においては、該レバー２５はスプリング２６のばね力により内部空間１１の内方へ前進（図１参照）しているので、図５に示すように最小寸法ＬＳの紙葉類Ａが内部空間１１内に突入すると、左右一対のレバー２５は当該紙葉類Ａの前端ａで若干量のみ後退動して、その突入力（運動エネルギ）を吸収した後に、スプリング２６のばね力により元位置に復元する。
【００２９】
この復元力により最小寸法ＬＳの紙葉類Ａその後端ｂが羽根車２０の羽根２０ｂ側に付勢され、Ｌｍｉｎ＜ＬＳの関係により、この紙葉類Ａの後端ｂは羽根車２０の羽根２０ｂにより集積方向に叩き落とされて、後続の紙葉類の突入空間を確保すると共に、上記最小寸法ＬＳの紙葉類Ａは集積方向に落下する。
【００３０】
一方、図６に示すように紙葉類Ａが傾いて突入してくる所謂スキュー時には、このスキューした紙葉類Ａの先行側の前端ａが２つの付勢機構２３，２３のうちの１つの付勢機構２３のレバー２３に当って、該レバー２３を他方のレバー２３と独立して後退させ、次に、このスキューした紙葉類Ａの後行側の後端ｂが内部空間１１に突入完了した時点において、後退していたレバー２３がスプリング２６のばね力により元位置へ復帰するので、この復元力により図７に示すようにスキューした紙葉類Ａの姿勢を同図の仮想線状態から同図の実線状態に矯正することができる。
【００３１】
このようにして、その姿勢が矯正された紙葉類Ａの後端ｂは羽根車２０の羽根２０ｂにより集積方向に叩き落とされて、後続の紙葉類の突入空間を確保すると共に、該紙葉類Ａは集積方向に落下する。
【００３２】
このように図１〜図７で示した実施例の紙葉類処理装置は、紙葉類Ａを集積する集積機構１４を備えた紙葉類処理装置であって、集積部１２の内部空間１１に搬送された紙葉類Ａをその紙葉類の搬送方向の長さに応じて集積機構１４側（反搬送方向）に付勢する付勢機構２３と、集積部１２に集積する紙葉類Ａの後端ｂを集積方向に叩き落とす集積補助手段（羽根車２０参照）とを備えたものである。
【００３３】
この構成により、付勢機構２３は集積部１２の内部空間１１に搬送された紙葉類Ａをその紙葉類の搬送方向の長さに応じて集積機構１４側（反搬送方向）に付勢し、上記集積補助手段（羽根車２０参照）は集積部１２に集積する紙葉類Ａの後端ｂを集積方向に叩き落として、後続の紙葉類の突入空間を確保する。
この結果、上記付勢機構２３にて紙葉類Ａをその紙葉類の搬送方向の長さに対応して集積機構１４側（反搬送方向）に付勢するので、サイズ（搬送方向の長さ）の異なる紙葉類Ａを同一の内部空間１１に連続して集積することができる。
【００３４】
また、上記付勢機構２３は内部空間１１内において紙葉類Ａの搬送前後方向（図１の矢印ｃ方向）に変位する変位手段  （レバー２５参照）を備えたものであるから、搬送方向の長さが大きい紙葉類Ａが内部空間１１へ突入されると図４に示す如く変位手段（レバー２５参照）は紙葉類Ａの前端ａで押圧されて後退して集積空間を確保し、搬送方向の長さが小さい紙葉類Ａが内部空間１１へ突入されると図５に示す如く当該紙葉類を集積機構１４側（反搬送方向）へ付勢して、集積補助手段（羽根車２０参照）による叩き落とし作用を確保する。
この結果、上記変位手段（レバー２５参照）の変位によりサイズの異なる紙葉類Ａを内部空間１１に連続して良好に集積することができる。
【００３５】
さらに、上記内部空間１１へ突入する紙葉類Ａの前端ａに対向して上記集積部１２の内奥には複数の付勢機構２３，２３が独立して設けられたものであるから、図６、図７で示したように、内部空間１１へ突入した紙葉類Ａがスキュー（斜行）している場合、このスキューした紙葉類の先行側前端が複数の付勢機構２３，２３のうちの１つの付勢機構２３を独立して後退させ、当該紙葉類の後位側後端が内部空間１１に突入完了した時点において後退していた付勢機構２３の復元力（付勢力）にてスキューした紙葉類の姿勢を矯正することができ、紙葉類Ａが左右何れの方向にスキューしても、これを矯正して安定した集積作用を得ることができ、集積信頼性を確保することができる。
【００３６】
加えて、上記集積補助手段はローラ２０ａに複数の羽根２０ｂを供えた羽根車２０で構成されたものであるから、簡単かつ軽量な集積補助手段でありながら、紙葉類Ａの後端ｂを確実に叩き落とすことができる。
【００３７】
また、上記集積機構１４は図３に示す如く同軸１５上に設けられた複数の集積ローラ１７，１７と、該集積ローラ１７，１７に平行に設けられた複数の羽根車２０，２０とを備えているので、集積機構１４から内部空間１１へ突入れる紙葉類Ａの突入姿勢の安定化を図ると共に、複数の羽根車２０，２０により紙葉類Ａの後端ｂの安定した叩き落とし効果を確保することができる。
【００３８】
しかも、上記付勢機構２３の後退により形成される集積部１２の集積空間の奥行き寸法（Ｌｍａｘ）が紙葉類Ａの搬送方向の最大寸法ＬＬ以上に設定され、内部空間１１の内方に付勢された付勢機構２３と集積補助手段（羽根車２０参照）との間の間隔（Ｌｍｉｎ）が集積可能な紙葉類Ａの搬送方向の最小寸法ＬＳより小さい寸法に設定されたものである。
【００３９】
この構成により、最大寸法ＬＬの紙葉類Ａが内部空間１１に突入されると、付勢機構２３の後退により当該紙葉類に対する充分な集積空間が確保されて、その座屈を防止することができ、最小寸法ＬＳの紙葉類Ａが内部空間１１に突入されると、付勢機構２３は内部空間１１の内方へ変位して、当該紙葉類を集積機構１４へ付勢して、集積補助手段（羽根車２０参照）による該紙葉類Ａの後端ｂの充分な叩き落とし作用を確保することができる。
【００４０】
図８は紙葉類処理装置の他の実施例を示し、図１〜図７で示した先の実施例においては付勢機構２３をレバー２５とスプリング２６とにより構成したが、図８に示すこの実施例では、付勢機構３０を板バネ３１（変位手段に相当）で形成している。
【００４１】
すなわち、上述の板バネ３１を平面から見て略Ｖ字状に形成し、その基端部３１ａを集積部１２の側壁部１２ｅ上方に取付け、遊端部３１ｂを内部空間１１内において紙葉類Ａの搬送前後方向に変位すべく構成したものである。この実施例においても先の実施例と同様に、内部空間１１へ突入する紙葉類Ａの前端ａに対向して集積部１２の内奥に複数の付勢機構３０，３０を独立して設けたものであって、これらの各付勢機構３０，３０により集積部１２の内部空間１１に突入された紙葉類Ａをそのサイズに対応して羽根車２０側に付勢するものである。
【００４２】
さらに板バネ３１の後退により形成される集積空間の奥行き寸法（Ｌｍａｘ）、並びに内部空間１１の内方に付勢された板バネ３１と羽根車２０の羽根２０ｂ先端ととの間の間隔（Ｌｍｉｎ）についても前述同様にＬｍａｘ＞ＬＬ，Ｌｍｉｎ＜ＬＳに設定されている。
【００４３】
このように構成すると、部品点数および組付け工数の大幅な削減を図ることができる。なお、その他の構成、作用、効果については先の実施例と同様であるから、図８において、前図と同一の部分には同一符号を付して、その詳しい説明を省略する。
【００４４】
図９は紙葉類処理装置のさらに他の実施例を示すものである。この実施例においては、上記内部空間１１へ突入する紙葉類Ａの前端ａと対向するように集積部１２の内奥に複数たとえば２組の付勢機構３２，３２を独立して設けている。
【００４５】
上述の付勢機構３２は平板状のガイド部材３３と、このガイド部材３３の背面に設けられたガイドロッド３４の端部に設けられたストッパ３５とを備え、集積部１２の側壁部１２ｅに一体的に形成されたガイド部３６に上記ガイドロット３４を摺動可能に挿通させると共に、ガイド部材３３の背面とガイド部３６のスプリングリテーナ部との間にスプリング３７を介設し、このスプリング３７のばね力によりガイド部材３３を常時内部空間１１の内方側へ付勢したものである。
【００４６】
ここで、上述のストッパ３５はアジャストストッパにより形成して、スプリング３７のばね力を調整するように構成してもよい。
而して、上述の各付勢機構３２，３２により集積部１２の内部空間１１に突入された紙葉類Ａをそのサイズに対応して羽根車２０側に付勢するものである。
【００４７】
さらに、ガイド部材３３の後退により形成される集積空間の奥行き寸法（Ｌｍａｘ）、並びに、内部空間１１の内方に付勢されたガイド部材３３と羽根車２０の羽根２０ｂ先端との間の間隔（Ｌｍｉｎ）は前述同様にＬｍａｘ＞ＬＬ，Ｌｍｉｎ＞ＬＳに設定されている。
図９に示すこの実施例においても、その他の構成、作用、効果については先の実施例と同様であるから図９において、前図と同一の部分には同一符号を付して、その詳しい説明を省略する。
【００４８】
この発明の構成と、上述の実施例との対応において、
この発明の付勢手段は、実施例の付勢機構２３，３０，３２に対応し、
以下同様に、
集積補助手段は、羽根車２０に対応し、
変位手段は、レバー２５、板バネ３１、ガイド部材３３に対応するも、
この発明は、上述の実施例の構成のみに限定されるものではない。
【００４９】
【発明の効果】
この発明によれば、サイズの異なる紙葉類を同一の内部空間に連続して集積することができる効果がある。
【図面の簡単な説明】
【図１】本発明の紙葉類処理装置を示す平面図。
【図２】紙葉類処理装置の側面図。
【図３】図２のＢ−Ｂ線矢視図。
【図４】サイズ大の紙葉類処理時の説明図。
【図５】サイズ小の紙葉類処理時の説明図。
【図６】スキューした紙葉類の突入を示す平面図。
【図７】スキュー紙葉類の矯正を示す平面図。
【図８】本発明の紙葉類処理装置の他の実施例を示す平面図。
【図９】本発明の紙葉類処理装置のさらに他の実施例を示す平面図。
【図１０】従来の紙葉類処理装置を示す側面図。
【符号の説明】
Ａ…紙葉類
ａ…前端
ｂ…後端
１１…内部空間
１２…集積部
１４…集積機構
１７…集積ローラ
２０…羽根車（集積補助手段）
２０ａ…ローラ
２０ｂ…羽根
２３…付勢機構（付勢手段）
２５…レバー（ガイド手段）
３０…付勢機構（付勢手段）
３１…板バネ（ガイド部材）
３２…付勢機構（付勢手段）
３３…ガイド部材